(57)【要約】【課題】洗濯機の設置作業の負荷を軽減できる洗濯機の設置方法および収容構造を提供する。【解決手段】洗濯機の設置方法は、ユーザが投入した洗濯物を洗濯する洗濯機本体（３１）と、この洗濯機本体（３１）の下側に設けられ、床面（１４）を摺動可能な摺動部（５３）とを備える洗濯機を準備する工程と、床面（１４）に対して摺動部（５３）を摺動させながら、床面（１４）の一部である設置面（１４ａ）へ、洗濯機を移動させる工程とを備える。【選択図】図１２
2018175591.tif 000002
【特許請求の範囲】
【請求項１】
ユーザが投入した洗濯物を洗濯する洗濯機本体と、この洗濯機本体の下側に設けられ、床面を摺動可能な摺動部とを備える洗濯機を準備する工程と、
上記床面に対して上記摺動部を摺動させながら、上記床面の一部である設置面へ、上記洗濯機を移動させる工程と
を備えることを特徴とする洗濯機の設置方法。
【請求項２】
請求項１に記載の洗濯機の設置方法において、
上記洗濯機を移動させる前に行われる工程であって、上記洗濯機本体の後面の下方に位置すべき上記設置面の奥側の領域に、ガイド部材を取り付ける工程を備え、
上記ガイド部材は、上記摺動部の後部が当接する当接面と、この当接面に上記摺動部を案内すると共に、互いに対向する第１，第２ガイド面とを有し、
上記摺動部の後部が上記ガイド部材の上記当接面に当接したとき、上記摺動部の一方の側部が上記第１ガイド面に当接し、上記摺動部の他方の側部が上記第２ガイド面に当接することを特徴とする洗濯機の設置方法。
【請求項３】
請求項２に記載の洗濯機の設置方法において、
上記第１ガイド面の前部と第２ガイド面の前部との間の距離は、前端側に近づくに従って次第に広がることを特徴とする洗濯機の設置方法。
【請求項４】
請求項１から３までのいずれか一項に記載の洗濯機の設置方法において、
上記洗濯機は、上記洗濯機本体の下面に設けられ、弾性部材を下端部に有する脚を有し、
上記摺動部は、上記脚の下端部に取り付けられ、上記脚と上記床面との間に位置することを特徴とする洗濯機の設置方法。
【請求項５】
請求項４に記載の洗濯機の設置方法において、
上記脚は、
上記洗濯機本体の上記下面の前部に設けられた前脚と、
上記洗濯機本体の上記下面の後部に設けられた後脚と
を含み、
上記前脚および後脚は、それぞれ、上記弾性部材を下端部に有し、
上記摺動部は、上記後脚の下端部に取り付けられることを特徴とする洗濯機の設置方法。
【請求項６】
請求項５に記載の洗濯機の設置方法において、
上記後脚の下端部に取り付けられた摺動部が上記床面に接触した状態で、かつ、上記前脚の下端部と上記床面との間に隙間が生じた状態で、上記設置面に上記洗濯機を移動させることを特徴とする洗濯機の設置方法。
【請求項７】
請求項１から３までのいずれか一項に記載の洗濯機の設置方法において、
上記洗濯機は、
上記洗濯機本体の下面の前部に設けられ、高さ調整が可能な前脚と、
上記洗濯機本体の下面の前部に設けられ、上記前脚に隣り合う移動補助脚と、
上記洗濯機本体の下面の後部に設けられた後脚と
を有し、
上記摺動部は、上記移動補助脚と上記後脚とのそれぞれの下側に設けられ、
上記洗濯機を移動させる前に行われる工程であって、上記移動補助脚と上記後脚とのそれぞれの下側に設けられた上記摺動部が上記床面に接触するように、かつ、上記前脚の下端部と上記床面との間に隙間が生じるように、上記前脚の高さを調整する工程を備えることを特徴とする洗濯機の設置方法。
【請求項８】
請求項７に記載の洗濯機の設置方法において、
上記前脚は弾性部材を下端部に有し、
上記設置面へ上記洗濯機を移動させた後、上記移動補助脚の下側に設けられた上記摺動部と上記設置面との間に隙間が生じるように、かつ、上記前脚の下端部の上記弾性部材が上記設置面に接触するように、上記前脚の高さを調整する工程を備えることを特徴とする洗濯機の設置方法。
【請求項９】
請求項１から８までのいずれか一項に記載の洗濯機の設置方法において、
上記設置面に上記洗濯機を移動させた後、上記洗濯機の前方向の移動と上記洗濯機の左右方向の移動とのうち、少なくとも上記洗濯機の前方向の移動を規制する移動規制部材を上記設置面に取り付けることを特徴とする洗濯機の設置方法。
【請求項１０】
第１，第２凹部が上面に設けられ、床面を摺動可能な摺動部を下側に有する板状部材を準備すると共に、ユーザが投入した洗濯物を洗濯する洗濯機本体と、この洗濯機本体の下面の前部に設けられた前脚と、上記洗濯機本体の下面の後部に設けられた後脚とを有する洗濯機を準備する工程と、
上記板状部材の上記第１凹部に上記洗濯機の上記前脚を入れる一方、上記板状部材の上記第２凹部に上記洗濯機の上記後脚を入れて、上記板状部材に上記洗濯機を搭載した後、上記床面に対して上記摺動部を摺動させながら、上記床面の一部である設置面へ、上記板状部材を上記洗濯機と共に移動させる工程と
を備えることを特徴とする洗濯機の設置方法。
【請求項１１】
請求項１０に記載の洗濯機の設置方法において、
上記設置面の周辺には、上記設置面上の空間と他の空間とを仕切ると共に、上記洗濯機本体の両側面および後面に対向する仕切部が設けられており、
上記洗濯機を搭載した上記板状部材を上記設置面に設置したとき、上記洗濯機本体の側面および後面と上記仕切部との間に所定の隙間が生じるように、上記第１，第２凹部の位置が設定されていることを特徴とする洗濯機の設置方法。
【請求項１２】
請求項１０または１１に記載の洗濯機の設置方法において、
上記板状部材は、
上記第１凹部を上面に有する第１板状部材と、
上記第１板状部材と別体に設けられて、上記第２凹部を上面に有する第２板状部材と
を有し、
上記第１板状部材の下面と上記第２板状部材の下面とのそれぞれに上記摺動部が取り付けられていることを特徴とする洗濯機の設置方法。
【請求項１３】
請求項１から１２までのいずれか一項に記載の洗濯機の設置方法において、
上記洗濯機は、
上記洗濯機本体に給水するための給水ホースと、
上記洗濯機本体からの排水を排水口に案内する排水ホースと
を有し、
上記給水ホースおよび排水ホースの長さは、上記洗濯機本体を上記設置面外に引き出すことが可能な長さに設定されていることを特徴とする洗濯機の設置方法。
【請求項１４】
洗濯機と、
上記洗濯機を収容すると共に、上記洗濯機の設置面である床面の一部に面する洗濯機用収容部と
を備え、
上記洗濯機は、
ユーザが投入した洗濯物を洗濯する洗濯機本体と、
上記洗濯機本体の下側に設けられ、上記床面を摺動可能な摺動部と
を備えることを特徴とする洗濯機の収容構造。
【発明の詳細な説明】
【技術分野】
【０００１】
この発明は、例えばドラム式洗濯機、縦型洗濯機などの洗濯機の設置方法および収容構造に関する。
【背景技術】
【０００２】
従来、洗濯機の設置方法としては、洗面化粧台に設けた収容空間にドラム式洗濯機を収容して、収容空間に面する床にドラム式洗濯機を設置する方法がある。この収容空間の上方、側方および後方には洗面化粧台の側面パネルなどが配置されていて、収容空間の前方だけが開放されている。このため、ドラム式洗濯機を設置するには、収容空間の前方から収容空間内へドラム式洗濯機を押し込む必要がある。
【０００３】
上記ドラム式洗濯機としては、特許文献１（特開２００９−１４８３９７号公報）に開示されているように、ゴム脚を下部に有するものがある。このようなドラム式洗濯機を従来の洗濯機の設置方法で用いれば、ドラム式洗濯機から床へ伝わる振動を低減できるので好ましい。
【先行技術文献】
【特許文献】
【０００４】
【特許文献１】特開２００９−１４８３９７号公報
【発明の概要】
【発明が解決しようとする課題】
【０００５】
しかしながら、上記従来の洗濯機の設置方法において、特許文献１に開示されているようなドラム式洗濯機を用いた場合、問題が生じてしまう。
【０００６】
より詳しく説明すると、上記収容空間の前方から収容空間内へドラム式洗濯機を押し込むとき、床面に対してドラム式洗濯機のゴム脚を摺動させるのは、困難である。このため、上記ドラム式洗濯機は、全体を床面から浮かした状態で、収容空間内へ押し込むことになる。その結果、上記ドラム式洗濯機は通常６０ｋｇ以上あるので、設置作業の負荷が大きくなってしまうという問題がある。
【０００７】
そこで、この発明の課題は、洗濯機の設置作業の負荷を軽減できる洗濯機の設置方法および収容構造を提供することにある。
【課題を解決するための手段】
【０００８】
この発明の一態様に係る洗濯機の設置方法は、
ユーザが投入した洗濯物を洗濯する洗濯機本体と、この洗濯機本体の下側に設けられ、床面を摺動可能な摺動部とを備える洗濯機を準備する工程と、
上記床面に対して上記摺動部を摺動させながら、上記床面の一部である設置面へ、上記洗濯機を移動させる工程と
を備えることを特徴としている。
【０００９】
この発明の一態様に係る洗濯機の設置方法は、
第１，第２凹部が上面に設けられ、床面を摺動可能な摺動部を下側に有する板状部材を準備すると共に、ユーザが投入した洗濯物を洗濯する洗濯機本体と、この洗濯機本体の下面の前部に設けられた前脚と、上記洗濯機本体の下面の後部に設けられた後脚とを有する洗濯機を準備する工程と、
上記板状部材の上記第１凹部に上記洗濯機の上記前脚を入れる一方、上記板状部材の上記第２凹部に上記洗濯機の上記後脚を入れて、上記板状部材に上記洗濯機を搭載した後、上記床面に対して上記摺動部を摺動させながら、上記床面の一部である設置面へ、上記板状部材を上記洗濯機と共に移動させる工程と
を備えることを特徴としている。
【００１０】
この発明の一態様に係る洗濯機の収容構造は、
洗濯機と、
上記洗濯機を収容すると共に、上記洗濯機の設置面である床面の一部に面する洗濯機用収容部と
を備え、
上記洗濯機は、
ユーザが投入した洗濯物を洗濯する洗濯機本体と、
上記洗濯機本体の下側に設けられ、上記床面を摺動可能な摺動部と
を備えることを特徴としている。
【発明の効果】
【００１１】
この発明の洗濯機の設置方法および収容構造は、洗濯機の設置時、設置作業者にかかる負担を軽減できる。
【図面の簡単な説明】
【００１２】
【図１】図１はこの発明の第１実施形態のシステム洗面化粧台の概略斜視図である。
【図２】図２は上記システム洗面化粧台の一部の概略斜視図である。
【図３】図３は上記第１実施形態のドラム式洗濯機の概略斜視図である。
【図４】図４は上記ドラム式洗濯機の概略右側面図である。
【図５】図５は図４の一部の概略拡大図である。
【図６】図６は図４の他の一部の概略拡大図である
【図７】図７は後脚および脚用アタッチメントの分解斜視図である。
【図８】図８は上記第１実施形態のドラム式洗濯機の設置方法を説明するための模式図である。
【図９】図９は上記第１実施形態のドラム式洗濯機の設置方法を説明するための他の模式図である。
【図１０】図１０は上記第１実施形態のドラム式洗濯機の設置方法を説明するための他の模式図である。
【図１１】図１１は上記第１実施形態のドラム式洗濯機の設置方法を説明するための他の模式図である。
【図１２】図１２は上記第１実施形態のドラム式洗濯機の設置方法を説明するための他の模式図である。
【図１３】図１３は上記第１実施形態のドラム式洗濯機の設置方法を説明するための他の模式図である。
【図１４】図１４はこの発明の第２実施形態のドラム式洗濯機の設置方法を説明するための模式図である。
【図１５】図１５は上記第２実施形態のドラム式洗濯機の設置方法の変形例を説明するための模式図である。
【図１６】図１６はこの発明の第３実施形態のドラム式洗濯機の設置方法を説明するための模式図である。
【図１７】図１７はこの発明の第４実施形態のドラム式洗濯機の概略斜視図である。
【図１８】図１８は上記ドラム式洗濯機の概略右側面図である。
【図１９】図１９は図１８の一部の概略拡大図である。
【図２０】図２０は上記第４実施形態のドラム式洗濯機の設置方法を説明するための概略図である。
【図２１】図２１はこの発明の第５実施形態のドラム式洗濯機の設置方法で使用する板状部材の模式斜視図である。
【図２２】図２２は上記板状部材の模式平面図である。
【図２３】図２３は図２２のXXIII−XXIII線の模式断面図である。
【図２４】図２４は図２２のXXIV−XXIV線の模式断面図である。
【図２５】図２５は上記第５実施形態のドラム式洗濯機の設置方法を説明するための模式図である。
【図２６】図２６は上記第５実施形態のドラム式洗濯機の設置方法を説明するための他の模式図である。
【図２７】図２７はこの発明の第６実施形態のドラム式洗濯機の設置方法で使用する第１，第２板状部材の模式平面図である。
【図２８】図２８は図２７のXXVIII−XXVIIIの模式断面図である。
【図２９】図２９は図２７のXXIX−XXIX線の模式断面図である。
【図３０】図３０は上記第６実施形態のドラム式洗濯機の設置方法を説明するための模式図である。
【発明を実施するための形態】
【００１３】
以下、この発明の洗濯機の設置方法および収納構造を図示の実施の形態により詳細に説明する。なお、以下の説明において、左側とは、洗濯機を前側（扉側）から見たとき、洗濯機に向かって左側を指す一方、右側とは、洗濯機を前側（扉側）から見たとき、洗濯機に向かって右側を指す。また、各図において共通する部分には同一の符号を付している。
【００１４】
〔第１実施形態〕
図１は、この発明の第１実施形態のシステム洗面化粧台１を左斜め前方から見た概略斜視図である。
【００１５】
システム洗面化粧台１は、洗面化粧台２と、洗濯機の一例としてのドラム式洗濯機３とを備えている。
【００１６】
洗面化粧台２にはキャビネット５および鏡６が設けられている。このキャビネット５は、鏡６の下方に配置されて、例えばタオル、ドライヤ、化粧品などを収納する引き出し２１，２１，・・・を有する。また、キャビネット５の天板２４には洗面ボール２５が取り付けられている。
【００１７】
また、図示しないが、蛇口が洗面ボール２５に取り付けられている。この蛇口は、ユーザの操作に応じて、水道水を吐出したり、任意温度のお湯を吐出したりする。
【００１８】
図２は、上記システム洗面化粧台１の一部を右斜め前方から見た概略斜視図である。
【００１９】
キャビネット５の一方の側方には、ドラム式洗濯機３を収容する洗濯機用収容空間Ｓ２が設けられている。洗面化粧台２の天板２４は洗濯機用収容空間Ｓ２の上方まで延在している。すなわち、天板２４は一方の端部が洗濯機用収容空間Ｓ２に面するように設けられている。また、洗濯機用収容空間Ｓ２の一方の側方にはキャビネット５の側面パネル２７が配置されている。一方、洗濯機用収容空間Ｓ２の他方の側方には洗面化粧台２の側面パネル２８が配置されている。さらに、洗濯機用収容空間Ｓ２の後方には壁１３がある。このような洗濯機用収容空間Ｓ２にドラム式洗濯機３を収容することにより、床面１４の一部である設置面１４ａにドラム式洗濯機３を設置する。なお、洗濯機用収容空間Ｓ２は洗濯機用収容部の一例である。また、側面パネル２７，２８および壁１３は仕切部の一例である。
【００２０】
キャビネット５の側面パネル２７の下側かつ後側の部分には開口部２７ａが設けられている。これにより、キャビネット５内の空間Ｓ１（図９，図１０に示す）と洗濯機用収容空間Ｓ２とが互いに連通している。なお、空間Ｓ１はホース用収容部の一例である。
【００２１】
また、キャビネット５内の空間Ｓ１は、引き出し２１，２１，・・・の本体の他に、ドラム式洗濯機３の給水ホース１１（図８，図９に示す）および排水ホース１２（図８，図１０に示す）の一部なども収容する。なお、空間Ｓ１はホース用収容部の一例である。
【００２２】
図３は、ドラム式洗濯機３を右斜め前方の上方から見た概略斜視図である。また、図４は、ドラム式洗濯機３を右側方から見た概略右側面図である。
【００２３】
ドラム式洗濯機３は、図３，図４に示すように、ユーザが投入した洗濯物を洗濯する洗濯機本体３１を備えている。
【００２４】
洗濯機本体３１は、開口部３４ａが設けられた前面パネル３４を有する。ユーザは、開口部３４ａを介して洗濯機本体３１内に洗濯物を入れたり、開口部３４ａを介して洗濯機本体３１内の洗濯物を出したりする。また、前面パネル３４には、開口部３４ａを開閉する扉３８が回動可能に取り付けられている。そして、前面パネル３４の上方には、ユーザが洗濯コースなどを選択するために操作する操作パネル３５が設けられている。また、操作パネル３５の側方には、洗剤、柔軟剤および漂白剤を収容する収容ケース３６が引き出し可能に設けられている。
【００２５】
また、ドラム式洗濯機３は、図３，図４に示すように、一対の前脚３２，３２(図４では１つの前脚３２のみが図示されている)と、一対の後脚３３，３３(図３，図４では１つの後脚３３のみが図示されている)と、化粧パネル３７とを備えている。なお、前脚３２，３２および後脚３３，３３は脚の一例である。
【００２６】
一対の前脚３２，３２は、洗濯機本体３１の下面３１ａの前部に設けられている。この一対の前脚３２，３２は、それぞれ、高さ調整が可能である。
【００２７】
一対の後脚３３，３３は、洗濯機本体３１の下面３１ａの後部に設けられている。この一対の後脚３３，３３も、それぞれ、高さ調整が可能である。
【００２８】
化粧パネル３７は一対の前脚３２，３２に着脱可能に取り付けられている。これにより、一対の前脚３２，３２は化粧パネル３７で隠されて、ドラム式洗濯機３は良好な美観を呈する。
【００２９】
また、ドラム式洗濯機３は、図９〜図１１に示すように、洗濯機本体３１に給水するための給水ホース１１と、洗濯機本体３１からの排水を洗濯機用排水口１５に案内する排水ホース１２とを備えている。この給水ホース１１および排水ホース１２の長さは、洗濯機本体３１を設置面１４ａ外に引き出すことが可能な長さに設定されている。別の言い方をすれば、給水ホース１１および排水ホース１２の接続を解除しなくても、図１に示すドラム式洗濯機３を設置面１４ａよりも前方に引き出せるように、給水ホース１１および排水ホース１２の長さが設定されている。なお、洗濯機用排水口１５は排水口の一例である。
【００３０】
なお、図９の２０は、引き出し２１を前後方向に案内するレールである。
【００３１】
図５は、図４の右側の前脚３２を拡大した概略拡大図である。
【００３２】
図３，図５に示すように、右側の前脚３２は、洗濯機本体３１の下面３１ａにおける右前のコーナー部に設けられている。一方、左側の前脚３２は、洗濯機本体３１の下面３１ａにおける左前のコーナー部に設けられている。この右側，左側の前脚３２，３２は、それぞれ、例えば金属製の支持部材４１と、円板形状のゴム部４２とを有する。すなわち、右側，左側の前脚３２，３２は、互いに同じ構成を有する。なお、ゴム部４２は弾性部材の一例である。
【００３３】
支持部材４１は、ネジ軸部４１ａと、このネジ軸部４１ａの下端に連なって径方向外側に張り出す円板部４１ｂとから成っている。ネジ軸部４１ａは洗濯機本体３１の下面３１ａの右前角部のネジ穴に螺合している。これにより、洗濯機本体３１の下面３１ａに対するネジ軸部４１ａの突出量は連続的に調整できるようになっている。また、上記突出量を固定するため、ネジ軸部４１ａにはナット４３を螺合させている。
【００３４】
ゴム部４２は、円板部４１ｂを覆うように、支持部材４１と一体成形されている。このゴム部４２の下面には、グリップ力を上げるために溝が設けられている。また、ゴム部４２の材料として、ブチルゴム、クロロブレンゴムなどが使用される。
【００３５】
図６は、図４の右側の後脚３３を拡大した概略拡大図である。
【００３６】
右側の後脚３３は、洗濯機本体３１の下面３１ａにおける右後のコーナー部に設けられている。一方、図示していないが、左側の後脚３３は、洗濯機本体３１の下面３１ａにおける左後のコーナー部に設けられている。この右側，左側の後脚３３，３３も、それぞれ、右側，左側の前脚３２，３２と同様に、支持部材４５（図７に示す）およびゴム部４６を有して、高さ調整が可能で、ナット４３で高さを固定できるようになっている。
【００３７】
右側，左側の後脚３３，３３のそれぞれには、脚用アタッチメント５１が取り付けられている。
【００３８】
図７は、後脚３３，３３および脚用アタッチメント５１の分解斜視図である。
【００３９】
右側，左側の後脚３３，３３の各支持部材４５は、ネジ軸部４５ａと、このネジ軸部４５ａの下端に連なって径方向外側に張り出す円板部４５ｂとから成っている。すなわち、右側，左側の前脚３２，３２と右側，左側の後脚３３，３３とは、それぞれ、互いに同じ構成を有する。また、ネジ軸部４１ａと同様に、ネジ軸部４５ａにもナット４３が螺合する。
【００４０】
脚用アタッチメント５１は、有底円筒形状のアタッチメント本体５２と、このアタッチメント本体５２の下面に例えば接着剤で固定された円板形状の摺動部材５３とからなっている。なお、摺動部材は摺動部の一例である。
【００４１】
アタッチメント本体５２は、例えば、ポリプロピレンを使って樹脂成形される。このアタッチメント本体５２の上面には、後脚３３のゴム部４６が嵌合する凹部５２ａが設けられている。この凹部５２ａの深さは、例えば、ゴム部４６の高さよりも若干低くなるように設定される。
【００４２】
摺動部材５３は、例えばフッ素樹脂からなって床面１４を摺動可能である。別の言い方をすれば、床面１４に対する摺動部材５３の滑り摩擦は、床面１４に対するゴム部４２，４６の滑り摩擦よりも小さくなるように、摺動部材５３の材料が選ばれている。この摺動部材５３の下面は平滑面となっている。一方、摺動部材５３の上面には、アタッチメント本体５２の下面の凸部（図示せず）が嵌合する凹部５３ａが設けられている。これにより、アタッチメント本体５２に摺動部材５３を固定するとき、アタッチメント本体５２に対する摺動部材５３の位置ズレが生じるのを防げるようになっている。
【００４３】
以下、この第１実施形態のドラム式洗濯機の設置方法の各工程について説明する。
【００４４】
まず、脚用アタッチメント５１，５１が右側，左側の後脚３３，３３に取り付けられたドラム式洗濯機３を準備した後、図８に示すように、キャビネット５の側面パネル２７における下側の後部の切り欠きに、電源コード１３、給水ホース１１および排水ホース１２を通す。これにより、給水ホース１１および排水ホース１２の先端部と、電源コード１３の電源プラグとが、キャビネット５内の空間Ｓ１に収容される。
【００４５】
次に、図９に示すように、水道管１６から分岐する分岐管１７に給水ホース１１の先端部を接続する。これにより、必要時、洗濯機本体３１に水道水を供給することが可能となる。
【００４６】
キャビネット５内の空間Ｓ１には、排水管１９が配置されている。この空間Ｓ１の上部には洗面ボール２５が配置されている。この洗面ボール２５に取り付けられている蛇口では、給湯管１８からのお湯と、給水管１６からの水道水とが、ユーザの操作に応じて混合される。一方、排水管１９は、洗面ボール２５からの液体などを洗面化粧台用排水口（図示せず）に案内する。この洗面化粧台用排水口は、キャビネット５内の空間Ｓ１に面する床面１４に設けられている。
【００４７】
次に、図１０に示すように、キャビネット５内の空間Ｓ１に面する床面１４に設けられた洗濯機用排水口１５に、排水ホース１２の先端部を接続する。これにより、洗濯機本体３１からの排水を排水ホース１２で洗濯機用排水口１５に案内することが可能となる。なお、洗濯機用排水口１５は排水口の一例である。
【００４８】
次に、キャビネット５内に設けられたコンセント（図示せず）に電源コード１３の電源プラグ（図示せず）を差し込む。
【００４９】
次に、図１１に示すように、床面１４の一部である設置面１４ａの奥側（図中上側）の領域にガイド部材６１を取り付ける。より詳しくは、壁１３にガイド部材６１の後端面６２ａに接触させた状態で、設置面１４ａの奥側の領域にガイド部材６１を例えばネジ（図示せず）で固定する。このとき、ガイド部材６１の右側の端部６２ｂと洗面化粧台２の側面パネル２８との間の距離Ｄ２と、ガイド部材６１の左側の端部６２ｃとキャビネット５の側面パネル２７との間の距離Ｄ３とのうちの一方を、予め設定された距離に調整する。なお、上記領域の上方には、洗濯機本体３１の後面３１ｂが配置される。
【００５０】
ガイド部材６１は、基部６２と、この基部６２の右側の端部６２ｂから前方に突出する右ガイド部６３と、基部６２の左側の端部６２ｃから前方に突出する左ガイド部６４とを有する。
【００５１】
基部６２には、右ガイド部６３に隣り合う第１当接面６２ｄと、左ガイド部６４に隣り合う第２当接面６２ｅとが設けられている。右側の後脚３３下に位置する摺動部材５３（以下、「右側の摺動部材５３」と言う）の後部は、第１当接面６２ｄに当接する。一方、左側の後脚３３下に位置する摺動部材５３（以下、「左側の摺動部材５３」と言う）の後部が、第２当接面６２ｅに当接する。
【００５２】
また、基部６２の後端面６２ａは、第１，第２当接面６２ｄ，６２ｅとの間に所定の距離Ｄ１を有している。右側の摺動部材５３の後部が第１当接面６２ｄに当接し、かつ、左側の摺動部材５３の後部が第２当接面６２ｅに当接したとき、洗濯機本体３１の後面３１ｂのうちの最後部が壁１３との間に所定の隙間が生じるように、距離Ｄ１が設定されている。
【００５３】
また、基部６２の第１当接面６２ｄが設けられている右側の端部６２ｂと、基部６２の第２当接面６２ｅが設けられている左側の端部６２ｃとは、基部６２の他の部分に比べて、前後方向の幅が長くなっている。この右側，左側の端部６２ｂ，６２ｃには、第１，第２当接面６２ｄ，６２ｅの後方に位置する第１，第２貫通孔６５，６６が設けられている。
【００５４】
右ガイド部６３は、第１当接面６２ｄに右側の摺動部材５３を案内する第１ガイド面６３ａを有する。一方、左ガイド部６４は、第２当接面６２ｅに左側の摺動部材５３を案内する第２ガイド面６４ａを有する。第１，第２ガイド面６３ａ，６４ａは左右方向において互いに対向する。また、第１ガイド面６３ａの前部と第２ガイド面６４ａの前部との間の距離は、前端側に近づくに従って次第に広がっている。
【００５５】
次に、図１２，図１３に示すように、床面１４に対して右側，左側の摺動部材５３，５３を摺動させながら、床面１４の一部である設置面１４ａへ、ドラム式洗濯機３を移動させる。より詳しくは、右側，左側の後脚３３，３３のゴム部４２，４２下に位置する右側，左側の摺動部材５３，５３が、床面１４に接触した状態で、かつ、右側，左側の前脚３２，３２のゴム部４２，４２と床面１４との間に隙間が生じた状態で、設置面１４ａに洗濯機を移動させる。このとき、右側，左側の前脚３２，３２の高さ調節を行うことにより、右側，左側の前脚３２，３２のゴム部４２，４２と床面１４との間に隙間を生じさせる。
【００５６】
最後に、右側，左側の前脚３２，３２の高さ調節を行うことにより、右側，左側の前脚３２，３２のゴム部４２，４２を設置面１４ａに接触させた後、右側，左側の前脚３２，３２が外部から見えないようにするため、図１，図３，図４に示すように、右側，左側の前脚３２，３２に化粧パネル３７を取り付ける。
【００５７】
このように、床面１４に対して右側，左側の摺動部材５３，５３を摺動させながら、床面１４の一部である設置面１４ａへ、ドラム式洗濯機３を移動させるので、ドラム式洗濯機３の設置作業者は、ドラム式洗濯機３の全体を持ち上げて浮かせなくても、設置面１４ａに洗濯機を設置できる。したがって、上記設置作業者は、ドラム式洗濯機３の全体を床面１４から浮かした状態で設置面１４ａ上まで移動させるよりも、ドラム式洗濯機３の設置作業を小さい負荷で行える。
【００５８】
また、右側，左側の摺動部材５３，５３は、ローラなどを有する機構に比べて、構成が簡単であり、故障の可能性が低い。
【００５９】
また、右側，左側の脚用アタッチメント５１は、アタッチメント本体５２，５２の上面の凹部５２ａの形状を変更すれば、既存の様々なドラム式洗濯機３に後付けできる。したがって、ドラム式洗濯機３の製造メーカに関係なく、ドラム式洗濯機３の設置作業者の負荷を低減できる効果が期待できる。
【００６０】
また、設置面１４ａの奥側の領域にガイド部材６１を取り付けた後、設置面１４ａにドラム式洗濯機３を移動させると、右側，左側の摺動部材５３，５３の後部がガイド部材６１の第１，第２当接面６２ｄ，６２ｅに当接する。その結果、ドラム式洗濯機３の前後方向の位置決めを容易かつ正確に行える。
【００６１】
また、ドラム式洗濯機３の前後方向の位置決めを正確に行えるので、洗濯機本体３１の後面３１ｂと壁１３との間に、所望の隙間を確実に設けることができる。
【００６２】
また、上記所望の隙間があれば、ドラム式洗濯機３が駆動時に振動しても壁１３に衝突するのを防ぐことができる。
【００６３】
また、ガイド部材６１の第１，第２ガイド面６３ａ，６４ａによって、右側，左側の摺動部材５３，５３がガイド部材６１の第１，第２の当接面に案内される。したがって、第１，第２当接面６２ｄ，６２ｅに右側，左側の摺動部材５３，５３の後部を容易かつ正確に当接させることができる。
【００６４】
また、右側，左側の摺動部材５３，５３の後部がガイド部材６１の第１，第２当接面６２ｄ，６２ｅに当接したとき、右側の摺動部材５３の右側部が第１ガイド面６３ａに当接し、左側の摺動部材５３の左側部が第２ガイド面６４ａに当接する。その結果、ドラム式洗濯機３の左右方向の位置決めを容易かつ正確に行える。
【００６５】
また、ドラム式洗濯機３の前後方向および左右方向の位置決めを正確に行えるので、洗濯機本体３１の右側面３１ｃと洗面化粧台２の側面パネル２８との間、および、洗濯機本体３１の左側面３１ｄとキャビネット５の側面パネル２７との間に、所望の隙間を確実に設けることができる。
【００６６】
また、上記所望の隙間があれば、ドラム式洗濯機３が駆動時に振動しても側面パネル２７，２８に衝突するのを防ぐことができる。
【００６７】
また、第１ガイド面６３ａの前部と第２ガイド面６４ａの前部との間の距離は、前端側に近づくに従って次第に広がっているので、第１ガイド面６３ａの前部と上記第２ガイド面６４ａの前部との間に左側，右側の摺動部材５３，５３をスムーズに入れることができる。
【００６８】
また、右側，左側の前脚３２，３２のそれぞれがゴム部４２を下端部に有すると共に、右側，左側の後脚３３，３３のそれぞれがゴム部４６を下端部に有するので、ゴム部４２，４６が洗濯機本体３１と設置面１４ａとの間に位置する。その結果、洗濯機本体３１から設置面１４ａに伝わる振動を低減できるので、設置面１４ａを有する床を補強せずに済む。
【００６９】
また、設置面１４ａにドラム式洗濯機３を移動させるとき、右側，左側の後脚３３，３３と設置面１４ａとの間には右側，左側の摺動部材５３，５３があるので、右側，左側の後脚３３，３３の各ゴム部４６がドラム式洗濯機３の移動の抵抗となるのを防ぐことができる。
【００７０】
また、右側，左側の後脚３３，３３下にだけ右側，左側の摺動部材５３，５３を配置するので、摺動部材５３の数を減らして、ドラム式洗濯機３の設置に掛かるコストを低減することができる。
また、右側，左側の後脚３３，３３下に右側，左側の摺動部材５３，５３を配置するので、後脚３３と設置面１４ａとの間に生じる摩擦を確実に低減することができる。
【００７１】
また、右側，左側の後脚３３，３３のゴム部４６，４６下に位置する右側，左側の摺動部材５３，５３が床面１４に接触した状態で、かつ、右側，左側の前脚３２，３２のゴム部４２，４２と床面１４との間に隙間が生じた状態で、設置面１４ａに洗濯機を移動させるので、右側，左側の摺動部材５３，５３のような摺動部材を右側，左側の前脚３２，３２のゴム部４２，４２下に配置していなくても、ドラム式洗濯機３をスムーズに移動させることができる。
【００７２】
また、給水ホース１１および排水ホース１２の長さは、洗濯機本体３１を設置面１４ａ外に引き出すことが可能な長さに設定されている。したがって、例えばメンテンナンス時、給水ホース１１および排水ホース１２の接続を解除しなくても、洗濯機本体３１を設置面１４ａ外に引き出すことができる。したがって、ドラム式洗濯機３のメンテナンスを容易に行うことができる。
【００７３】
また、キャビネット５内の空間Ｓ１に給水ホース１１および排水ホース１２の一部を収容するので、洗濯機本体３１の両側面および後面に隣接する空間Ｓ１に給水ホース１１および排水ホース１２の全部を配置しなくて済む。したがって、洗濯機本体３１の両側面３１ｃ，３１ｄおよび後面３１ｂが面する空間が大きくなるのを防ぐことができる。
【００７４】
また、ガイド部材６１の左右方向の長さは、設置面１４ａの左右方向の長さよりも短いので、ガイド部材６１の左右方向の長さが製造誤差などで所定の長さにならないときなどでも、ガイド部材６１を確実に設置できる。
【００７５】
上記第１実施形態では、洗面化粧台２の天板２４の一方の端部が、ドラム式洗濯機３を覆っていたが、ドラム式洗濯機３を覆わないようにしてもよい。このようにする場合、例えば縦型洗濯機を設置面１４ａに設置してもよい。
【００７６】
上記第１実施形態では、ゴム部４６と摺動部材５３との間に、アタッチメント本体５２を配置していたが、アタッチメント本体５２を配置しないようにしてもよい。このようにする場合、例えば、摺動部材５３上にゴム部４６を直接搭載してもよい。
【００７７】
上記第１実施形態では、ゴム部４６の形状および材料の一方は、ゴム部４２の形状および材料の一方と同じにしてもよい。
【００７８】
上記第１実施形態では、摺動部材５３は、例えばフッ素樹脂からなると記載していたが、フッ素樹脂以外の材料（例えば高分子ポリエチレン）からなってもよい。
【００７９】
上記第１実施形態では、アタッチメント本体５２はポリプロピレンからなっていたが、例えば、フッ素樹脂、高分子ポリエチレンなどの材料からなってもよい。このようにする場合、アタッチメント本体５２の下部または全部が、フッ素樹脂、高分子ポリエチレンなどの材料で形成されてもよい。すなわち、アタッチメント本体５２の少なくとも下部が、フッ素樹脂、高分子ポリエチレンなどの材料で形成されてもよい。
【００８０】
上記第１実施形態では、アタッチメント本体５２の下面に摺動部材５３を取り付けていたが、アタッチメント本体５２の下面を平滑面にして、例えばフッ素樹脂、高分子ポリエチレンなどを上記平滑面にコーティングしてもよい。
【００８１】
上記第１実施形態では、右側，左側の後脚３３，３３の下端部は、ゴム部４６であったが、床面１４を摺動可能な摺動部材にしてもよい。このようにする場合、脚用アタッチメント５１を用いなくて済むので、コストダウンが図れる。
【００８２】
上記第１実施形態では、右側，左側の前脚３２，３２のそれぞれには、脚用アタッチメント５１を取り付けていなかったが、脚用アタッチメント５１を取り付けてもよい。このようにする場合、ドラム式洗濯機３の設置後、右側，左側の前脚３２，３２に取り付けた脚用アタッチメント５１を取り外して、洗濯機本体３１の天面の前部と洗濯機本体３１の天面の後部とが互いに同じまたは略同じ高さとなるように、右側，左側の前脚３２，３２の高さ調節を行ってもよい。
【００８３】
上記第１実施形態では、ドラム式洗濯機３の移動時、右側，左側の前脚３２，３２と床面１４との間には、何も挿入していなかったが、例えば、シート状の摺動部材（例えばフェルト）を挿入してもよい。このようにする場合、ドラム式洗濯機３の設置後、シート状の摺動部材は除去してもよい。
【００８４】
上記第１実施形態では、ガイド部材６１は、キャビネット５の側面パネル２７との間に隙間を有すると共に、洗面化粧台２の側面パネル２８との間に隙間を有するように形成されていたが、それらの隙間を有さないように形成されてもよい。すなわち、ガイド部材６１は、右側端面がキャビネット５の側面パネル２７に接触し、かつ、洗面化粧台２の側面パネル２８に接触するように、左右方向の長さが設定されてもよい。
【００８５】
上記第１実施形態では、給水ホース１１および排水ホース１２の長さは、洗濯機本体３１を設置面１４ａ外に引き出すことが可能な長さに設定されていたが、電源コード１３の長さも、洗濯機本体３１を設置面１４ａ外に引き出すことが可能な長さに設定されてもよい。
【００８６】
〔第２実施形態〕
この発明の第２実施形態のドラム式洗濯機の設置方法では、上記第１実施形態で説明したように、ドラム式洗濯機３を移動させた後、図１４に示すように、ドラム式洗濯機３の前後方向および左右方向の移動を規制する第１，第２移動規制部材２７１，２７２を設置面１４ａに取り付ける。なお、第１，第２移動規制部材２７１，２７２は移動規制部材の一例である。
【００８７】
第１移動規制部材２７１は、上面視形状がＬ字を裏側から見た形状を呈するように形成されている。この第１移動規制部材２７１が、右側の前脚３２の近傍に位置するように、設置面１４ａに例えばネジで固定される。これにより、ドラム式洗濯機３の前方向および右方向の移動を第１移動規制部材２７１で規制する。
【００８８】
一方、第２移動規制部材２７２は、上面視形状がＬ字形状を呈するように形成されている。この第２移動規制部材２７２が、左側の前脚３２の近傍に位置するように、設置面１４ａに例えばネジで固定される。これにより、ドラム式洗濯機３の前方向および左方向の移動を第２移動規制部材２７２で規制する。
【００８９】
このように、設置面１４ａにドラム式洗濯機３を移動させた後、床面に第１，第２移動規制部材２７１，２７２を取り付けることにより、ドラム式洗濯機３の前方向の移動を第１，第２移動規制部材２７１，２７２で規制するので、例えば、ドラム式洗濯機３が自身の振動で前方に飛び出してくるのを防ぐことができる。
【００９０】
また、設置面１４ａに洗濯機を移動させた後、設置面１４ａに第１，第２移動規制部材２７１，２７２を取り付けるので、例えば、ドラム式洗濯機３が自身の振動で左右に移動するのを第１，第２移動規制部材２７１，２７２で防ぐことができる。その結果、ドラム式洗濯機３が、キャビネット５の側面パネル２７に接触しない状態を保持できると共に、洗面化粧台２の側面パネル２８に接触しない状態を保持できる。
【００９１】
上記第２実施形態では、第１移動規制部材２７１および第２移動規制部材２７２を用いていたが、図１５に示すように、上面視形状が直線形状となるように形成された第１，第２移動規制部材２７３，２７４を用いてもよい。なお、第１，第２移動規制部材２７３，２７４は移動規制部材の一例である。
【００９２】
〔第３実施形態〕
この発明の第３実施形態のドラム式洗濯機の設置方法では、上記第１実施形態で説明したように、ドラム式洗濯機３を移動させた後、図１６に示すように、ドラム式洗濯機３の前後方向および左右方向の移動を規制する移動規制部材３７１を設置面１４ａに取り付ける。
【００９３】
移動規制部材３７１は、上面視形状がＵ字形状を呈するように形成されている。この移動規制部材３７１が、左側の前脚３２の近傍に位置するように、設置面１４ａに例えばネジで取り付けられる。
【００９４】
このように、設置面１４ａに洗濯機を移動させた後、設置面１４ａに移動規制部材３７１を取り付けることにより、ドラム式洗濯機３の前方向、右方向および左方向の移動を、１つの移動規制部材３７１で規制できる。したがって、ドラム式洗濯機３の前方向、右方向および左方向の移動を規制するための作業量を減らすことができる。
【００９５】
上記第３実施形態では、移動規制部材３７１が、左側の前脚３２の近傍に位置するように、設置面１４ａに取り付けられていたが、右側の前脚３２の近傍に位置するように、設置面１４ａに取り付けられてもよい。
【００９６】
〔第４実施形態〕
図１７は、この発明の第４実施形態のドラム式洗濯機４０３を右斜め前方の上方から見た概略斜視図である。また、図１８は、ドラム式洗濯機４０３を右側方から見た概略右側面図である。また、図１９は、図１８の右側の前脚３２を拡大した概略拡大図である。また、図２０は、ドラム式洗濯機の設置方法を説明するための概略図である。
【００９７】
ドラム式洗濯機４０３は、図１７〜図２０に示すように、洗濯機本体３１の下面３１ａの前部に設けられた一対の移動補助脚４４４，４４４を備える点が、上記第１実施形態のドラム式洗濯機３と異なっている。別の言い方をすれば、ドラム式洗濯機４０３は、上記第１実施形態のドラム式洗濯機３に一対の移動補助脚４４４，４４４を追加したものに相当する。
【００９８】
一対の移動補助脚４４４，４４４のうち、右側の移動補助脚４４４は、ドラム式洗濯機４０３の左右方向の中央より右側に設けられ、右側の前脚３２と隣り合っている。一方、一対の移動補助脚４４４，４４４のうち、左側の移動補助脚４４４は、ドラム式洗濯機４０３の左右方向の中央より左側に設けられ、左側の前脚３２と隣り合っている。
【００９９】
右側の移動補助脚４４４は、略四角柱形状の脚本体４４５と、この脚本体４４５の下面に取り付けられた円板形状の摺動部材４４６とを有している。なお、摺動部材４４６は摺動部の一例である。
【０１００】
脚本体４４５は、例えば、ポリプロピレンを使って樹脂成形されて、洗濯機本体３１の下面３１ａの前部に例えばネジで固定されている。
【０１０１】
摺動部材４４６は、例えばフッ素樹脂からなって床面１４を摺動可能である。別の言い方をすれば、床面１４に対する摺動部材４４６の滑り摩擦は、床面１４に対するゴム部４２，４６の滑り摩擦よりも小さくなるように、摺動部材４４６の材料が選ばれている。この摺動部材４４６の下面は平滑面となっている。一方、摺動部材４４６の上面は、脚本体４４５の下面に例えば接着材で固定されている。
【０１０２】
左側の移動補助脚４４４は、右側の移動補助脚４４４と同じ構成であり、設けられる場所だけが異なっているので、左側の移動補助脚４４４の構成の説明は省略する。
【０１０３】
以下、この第４実施形態のドラム式洗濯機４０３の設置方法の各工程について説明する。
【０１０４】
まず、ドラム式洗濯機４０３を準備した後、上記第１実施形態と同様に、給水ホース１１などの接続を行うと共に、ガイド部材６１の取り付けを行う。
【０１０５】
次に、右側，左側の前脚３２，３２のネジ軸部４１ａを順回転させて、右側，左側の前脚３２，３２の下端部のゴム部４２，４２を洗濯機本体３１に近づける。これにより、右側，左側の移動補助脚４４４，４４４の摺動部材４４６，４４６が床面１４に接触するように、かつ、前脚３２，３２の下端部のゴム部４２，４２と床面１４との間に隙間が生じるように、右側，左側の前脚３２，３２の高さを調整する。この調整後、洗濯機本体３１の天面は、前部が後部よりも低くなるように傾斜する。
【０１０６】
次に、上記第１実施形態と同様に、設置面１４ａにドラム式洗濯機４０３を移動させた後、右側，左側の前脚３２，３２のネジ軸部４１ａを逆回転させて、右側，左側の前脚３２，３２の下端部のゴム部４２，４２を洗濯機本体３１から遠ざける。これにより、右側，左側の移動補助脚４４４，４４４の摺動部材４４６，４４６と設置面１４ａとの間に隙間が生じるように、かつ、前脚３２，３２の下端部のゴム部４２，４２が設置面１４ａに接触するように、右側，左側の前脚３２，３２の高さを調整する。この調整後、洗濯機本体３１の天面は、前部が後部と同じまたは略同じ高さとなる。
【０１０７】
最後に、右側，左側の前脚３２，３２と、右側，左側の移動補助脚４４４，４４４とが外部から見えないようにするため、右側，左側の前脚３２，３２に化粧パネル３７を取り付ける。
【０１０８】
このように、右側，左側の移動補助脚４４４，４４４の下端部に設けられた摺動部材４４６，４４６が床面１４に接触するように、かつ、前脚３２，３２の下端部のゴム部４２，４２と床面１４との間に隙間が生じるように、右側，左側の前脚３２，３２の高さを調整した状態で、ドラム式洗濯機４０３を移動させるので、移動補助脚４４４，４４４の下端部に設けられた摺動部材４４６と、後脚３３，３３下に配置された摺動部材５３とを、床面１４に対して摺動させながら、設置面１４ａに洗濯機を移動させることができる。
【０１０９】
また、上記前脚３２，３２の高さ調整後、ドラム式洗濯機４０３を移動させるので、前脚３２，３２の下端部のゴム部４２，４２がドラム式洗濯機４０３の移動の抵抗となるのを防ぐことができる。
【０１１０】
また、ドラム式洗濯機４０３の移動が終了した後、右側，左側の前脚３２，３２の高さを調整することにより、右側，左側の移動補助脚４４４，４４４の摺動部材４４６と設置面１４ａとの間に隙間が生じる。したがって、例えば洗濯機本体３１が洗濯時に振動しても、この振動が摺動部材４４６を介して床面１４へ伝わるのを防ぐことができる。
【０１１１】
また、ドラム式洗濯機４０３の移動が終了した後、右側，左側の前脚３２，３２の高さを調整することにより、前脚３２，３２の下端部のゴム部４２，４２が設置面１４ａに接触する。したがって、例えば洗濯機本体が洗濯時に振動しても、設置面１４ａに対して前脚３２，３２が移動するのを防ぐことができる。
【０１１２】
上記第４実施形態では、給水ホース１１などの接続と、ガイド部材６１の取り付けとを行った後、右側，左側の前脚３２，３２の高さ調整を行ったが、右側，左側の前脚３２，３２の高さ調整を行った後、給水ホース１１などの接続と、ガイド部材６１の取り付けとを行ってもよい。要するに、右側，左側の前脚３２，３２の高さ調整を行うタイミングは、ドラム式洗濯機４０３を移動させる前であれば、特に限定されない。
【０１１３】
〔第５実施形態〕
図２１は、この発明の第５実施形態のドラム式洗濯機の設置方法で使用する板状部材５８１を右斜め前方の上方から見た模式斜視図である。また、図２２は、板状部材５８１を上方から見た模式平面図である。
【０１１４】
板状部材５８１は、図２１，図２２に示すように、４つの凹部５８２，５８２，・・・が上面５８１ａに設けられていると共に、４つの摺動部材５８３，５８３，・・・が下面５８１ｂに取り付けられている。この第５実施形態では、右側，左側の後脚３３，３３に脚用アタッチメント５１，５１を取り付けてないドラム式洗濯機３が、板状部材５８１上に搭載される。また、板状部材５８１の左右方向の長さは、設置面１４ａの左右方向の長さよりも僅かに短くなるように設定されている。別の言い方をすると、板状部材５８１の上面５８１ａの前辺５８４，後辺５８５のそれぞれの長さは、設置面１４ａの左右方向の長さよりも僅かに短くなるように設定されている。なお、４つの凹部５８２，５８２，・・・のうち、前側の２つの凹部５８２，５８２は第１凹部の一例であり、後側の２つの凹部５８２，５８２は第２凹部の一例である。
【０１１５】
凹部５８２，５８２，・・・は、板状部材５８１の上面５８１ａの右前のコーナー部と、板状部材５８１の上面５８１ａの左前のコーナー部と、板状部材５８１の上面５８１ａの右後のコーナー部と、板状部材５８１の上面５８１ａの左後のコーナー部とのそれぞれに１つずつ設けられている。
【０１１６】
また、ドラム式洗濯機３が板状部材５８１に搭載されたとき、右前のコーナー部の凹部５８２（以下、「右前側の凹部５８２」と言う）にはドラム式洗濯機３の右側の前脚３２が入ると共に、左前のコーナー部の凹部５８２（以下、「左前側の凹部５８２」と言う）にはドラム式洗濯機３の左側の前脚３２が入る。そのとき、右後のコーナー部の凹部５８２（以下、「右後側の凹部５８２」と言う）にはドラム式洗濯機３の右側の後脚３３が入ると共に、左後のコーナー部の凹部５８２（以下、「左後側の凹部５８２」と言う）にはドラム式洗濯機３の左側の後脚３３が入る。このため、右前側，左前側の凹部５８２，５８２は、それぞれ、ゴム部４２が嵌合可能または遊嵌可能に形成されている。また、右後側，左後側の凹部５８２，５８２は、それぞれ、ゴム部４６が嵌合可能または遊嵌可能に形成されている。
【０１１７】
また、ドラム式洗濯機３の設置が完了したとき、洗濯機本体３１の後面３１ｂが壁１３との間に所定の隙間を有するように、かつ、洗濯機本体３１の右側面３１ｃ，左側面３１ｄが側面パネル２８，２７との間に所定の隙間を有するように、各凹部５８２，５８２，・・・の位置が設定されている。別の言い方をすると、ドラム式洗濯機３が板状部材５８１に搭載されたとき、洗濯機本体３１の右側面３１ｃは、右前側，右後側の凹部５８２，５８２と板状部材５８１の上面５８１ａの右辺５８６との間の領域上に位置する。そのとき、洗濯機本体３１の左側面３１ｄは、左前側，左後側の凹部５８２，５８２と板状部材５８１の上面５８１ａの左辺５８７との間の領域上に位置する。また、そのとき、洗濯機本体３１の後面は、右後側，左後側の凹部５８２，５８２，・・・と板状部材５８１の上面５８１ａの後辺５８５との間の領域上に位置する。
【０１１８】
４つの摺動部材５８３，５８３，・・・は、それぞれ、例えばフッ素樹脂からなって床面１４を摺動可能である。すなわち、各摺動部材５８３は、摺動部材５３および４４６と同様に、材料が選定されている。また、各摺動部材５８３は、例えば円板形状に形成されて、例えば接着剤で板状部材５８１の下面５８１ｂに固定されている。
【０１１９】
図２３は、図２２のXXIII−XXIII線から見た模式断面図である。また、図２４は、図２２のXXIV−XXIV線から見た模式断面図である。
【０１２０】
図２３，図２４に示すように、摺動部材５８３，５８３，・・・は、上下方向において、凹部５８２，５８２，・・・と重なる位置関係を有する。例えば、右前側の凹部５８２の下方には、１つの摺動部材５８３が配置されている。これと同様に、他の各凹部５８２の下方にも、他の１つの摺動部材５８３が配置されている。
【０１２１】
以下、この第５実施形態のドラム式洗濯機の設置方法の各工程について説明する。
【０１２２】
まず、板状部材５８１およびドラム式洗濯機３を準備した後、ドラム式洗濯機３の右側，左側の前脚３２，３２が右前側，左前側の凹部５８２，５８２に入るように、かつ、ドラム式洗濯機３の右側，左側の後脚３３，３３が右後側，左後側の凹部５８２，５８２に入るように、板状部材５８１にドラム式洗濯機３を搭載する。
【０１２３】
次に、上記第１実施形態と同様に、給水ホース１１などの接続を行うと共に、ガイド部材６１の取り付けを行う。
【０１２４】
次に、図２３，図２４に示すように、床面１４に対して摺動部材５８３，５８３，・・・を摺動させながら、床面１４の一部である設置面１４ａへ、板状部材５８１をドラム式洗濯機３と共に移動させる。このとき、板状部材５８１の後端面を壁１３に当接させる。
【０１２５】
最後に、右側，左側の前脚３２，３２が外部から見えないようにするため、右側，左側の前脚３２，３２に化粧パネル３７を取り付ける。
【０１２６】
このように、右前側，左前側の凹部５８２，５８２，・・・にドラム式洗濯機３の右側，左側の前脚３２，３２を入れ、かつ、右後側，左後側の凹部５８２，５８２，・・・にドラム式洗濯機３の右側，左側の後脚３３，３３に入れた後、板状部材５８１をドラム式洗濯機３と共に移動させるので、板状部材５８１に対するドラム式洗濯機３の位置が変わるのを防ぐことができる。
【０１２７】
また、床面１４に対して摺動部材５８３，５８３，・・・を摺動させながら、床面１４の一部である設置面１４ａへ、ドラム式洗濯機３を移動させるので、設置作業者は、ドラム式洗濯機３全体を持ち上げて浮かせなくても、設置面１４ａにドラム式洗濯機３を設置できる。したがって、上記設置作業者は、ドラム式洗濯機３の全体を持ち上げて床面１４から浮かした状態で設置面１４ａの上方まで移動させるよりも、ドラム式洗濯機３の設置作業を小さい負荷で行える。
【０１２８】
また、摺動部材５８３は、ローラなどを有する機構に比べて、構成が簡単であり、故障の可能性が低い。
【０１２９】
また、ドラム式洗濯機３を搭載した板状部材５８１を設置面１４ａに設置すると、洗濯機本体３１の右側面３１ｃと洗面化粧台２の側面パネル２８との間、洗濯機本体３１の左側面３１ｄとキャビネット５の側面パネル２７との間、および、洗濯機本体３１の後面３１ｂと壁１３との間に、所望の隙間を確実に生じさせることができる。
【０１３０】
また、上記所望の隙間があれば、例えば、ドラム式洗濯機３が駆動時に振動して壁１３および側面パネル２７，２８に衝突するのを防ぐことができる。
【０１３１】
上記第５実施形態では、摺動部材５８３，５８３，・・・の数は４つであったが、１つにしてもよいし、４つ以外の複数にしてもよい。摺動部材５８３，５８３，・・・の数を１つにする場合、洗濯機本体３１の振動が設置面１４ａに局所的に伝わるのを防ぐ観点から、摺動部材５８３，５８３，・・・の形状は、板状部材５８１の下面５８１ｂの大部分を覆うような形状とするのが、好ましい。
【０１３２】
上記第５実施形態では、摺動部材５８３，５８３，・・・は、例えばフッ素樹脂からなる記載したが、フッ素樹脂以外の材料（例えば高分子ポリエチレン）からなってもよい。
【０１３３】
上記第５実施形態では、板状部材５８１は、ドラム式洗濯機３を支持可能な材料であれば、どのような材料で形成されてもよい。すなわち、板状部材５８１は、剛性が得られるのであれば、例えば合板などの木材、例えばアルミ金属などで形成されてもよい。
【０１３４】
上記第５実施形態では、板状部材５８１の下面５８１ｂに、摺動部材５８３，５８３，・・・を取り付けていたが、摺動部材５８３，５８３，・・・を取り付けなくてもよい。このようにする場合、例えば、板状部材５８１の下面５８１ｂを平滑面にして、フッ素樹脂、高分子ポリエチレンなどを上記平滑面にコーティングしてもよい。
【０１３５】
上記第５実施形態では、板状部材５８１の下面５８１ｂに、摺動部材５８３，５８３，・・・を取り付けていたが、フェルトを取り付けてもよい。このようにする場合、フェルトの形状および数は、摺動部材５８３，５８３，・・・と同様に、適宜設定してもよい。
【０１３６】
上記第５実施形態では、板状部材５８１上にドラム式洗濯機３を搭載した後、給水ホース１１などの接続と、ガイド部材６１の取り付けとを行っていたが、給水ホース１１などの接続と、ガイド部材６１の取り付けとを行った後、板状部材５８１上にドラム式洗濯機３を搭載してもよい。
【０１３７】
上記第５実施形態では、右側，左側の前脚３２，３２が外部から見えないようにするための化粧パネル３７を用いていたが、右側，左側の前脚３２，３２と板状部材５８１とが外部から見えないようにするための化粧パネル３７を用いてもよい。すなわち、設置後の右側，左側の前脚３２，３２の高さより高い化粧パネル３７を用いてもよい。
【０１３８】
上記第５実施形態では、ドラム式洗濯機３の設置後、設置面１４ａに板状部材５８１を固定していなかったが、例えばネジおよび金具を使って、設置面１４ａに板状部材５８１を固定してもよい。このように、上記ネジおよび金具を使って、設置面１４ａに板状部材５８１を固定した場合、設置面１４ａに対する板状部材５８１の固定を必要時に容易に解除することができる。
【０１３９】
〔第６実施形態〕
図２７は、この発明の第６実施形態のドラム式洗濯機の設置方法で使用する第１，第２板状部材６８１，６９１を上方から見た模式平面図である。
【０１４０】
第１板状部材６８１では、２つの凹部５８２，５８２が上面６８１ａに設けられていると共に、２つの摺動部材５８３，５８３，・・・が下面６８１ｂに取り付けられている。第２板状部材６９１でも、第１板状部材６８１と同様に、２つの凹部５８２，５８２が上面６９１ａに設けられていると共に、２つの摺動部材５８３，５８３が下面６９１ｂに取り付けられている。この第５実施形態では、右側，左側の後脚３３，３３に脚用アタッチメント５１を取り付けてないドラム式洗濯機３が、第１，第２板状部材６８１，６９１上に搭載される。また、第１，第２板状部材６８１，６９１の左右方向の長さは、それぞれ、設置面１４ａの左右方向の長さよりも僅かに短くなるように設定されている。別の言い方をすると、第１板状部材６８１の上面６８１ａの前辺６８４，後辺６８５のそれぞれの長さは、設置面１４ａの左右方向の長さよりも僅かに短くなるように設定されている。これと同様に、第２板状部材６９１の上面６９１ａの前辺６９４，後辺６９５のそれぞれの長さも、設置面１４ａの左右方向の長さよりも僅かに短くなるように設定されている。なお、第１板状部材６８１の上面６８１ａに設けられた凹部５８２は、第１凹部の一例である。また、第２板状部材６９１の上面６９１ａに設けられた凹部５８２は、第２凹部の一例である。
【０１４１】
第１板状部材６８１の上面６８１ａの右端部と、第１板状部材６８１の上面６８１ａの左端部とのそれぞれには、１つの凹部５８２が設けられている。ドラム式洗濯機３が第１板状部材６８１に搭載されたとき、ドラム式洗濯機３の右側の前脚３２が第１板状部材６８１の上面６８１ａの右端部の凹部５８２（以下、「右前側の凹部５８２」と言う）に入り、かつ、ドラム式洗濯機３の左側の前脚３２が第１板状部材６８１の上面６８１ａの左端部の凹部５８２（以下、「左前側の凹部５８２」と言う）に入る。
【０１４２】
第２板状部材６９１の上面６９１ａの右端部と、第２板状部材６９１の上面６９１ａの左端部とのそれぞれには、１つの凹部５８２が設けられている。ドラム式洗濯機３が第２板状部材６９１に搭載されたとき、ドラム式洗濯機３の右側の後脚３３が第２板状部材６９１の上面６９１ａの右端部の凹部５８２（以下、「右後側の凹部５８２」と言う）に入り、かつ、ドラム式洗濯機３の左側の後脚３３が第１板状部材６８１の上面６８１ａの左端部の凹部５８２（以下、「左後側の凹部５８２」と言う）に入る。
【０１４３】
また、ドラム式洗濯機３の設置が完了したとき、洗濯機本体３１の後面３１ｂが壁１３との間に所定の隙間を有するように、かつ、洗濯機本体３１の右側面３１ｃ，左側面３１ｄが側面パネル２８，２７との間に所定の隙間を有するように、各凹部５８２の位置が設定されている。別の言い方をすると、ドラム式洗濯機３が第１，第２板状部材６８１，６９１に搭載されたとき、洗濯機本体３１の右側面３１ｃは、右前側の凹部５８２と第１板状部材６８１の上面５８１ａの右辺６８６との間の領域上に位置し、かつ、洗濯機本体３１の左側面３１ｄは、左前側の凹部５８２と第１板状部材６８１の上面６８１ａの左辺６８７との間の領域上に位置する。そのとき、洗濯機本体３１の右側面３１ｃは、右後側の凹部５８２と第２板状部材６９１の上面６９１ａの右辺６９６との間の領域上に位置し、かつ、洗濯機本体３１の左側面３１ｄは、左後側の凹部５８２と第２板状部材６９１の上面６９１ａの左辺６９７との間の領域上に位置する。また、そのとき、洗濯機本体３１の後面３１ｂは、右後側，左後側の凹部５８２，５８２と第２板状部材６９１の上面６９１ａの後辺６９５との間の領域上に位置する。
【０１４４】
４つの摺動部材５８３，５８３，・・・は、それぞれ、例えばフッ素樹脂からなって床面１４を摺動可能である。すなわち、各摺動部材５８３は、摺動部材５３および４４６と同様に、材料が選定されている。また、各摺動部材５８３，５８３，・・・は、例えば円板形状に形成されて、例えば接着剤で第１，第２板状部材６８１，６９１の下面６８１ｂ，６９１ｂに固定されている。
【０１４５】
図２８は、図２７のXXVIII−XXVIII線から見た模式断面図である。また、図２９は、図２７のXXIX−XXIX線から見た模式断面図である。
【０１４６】
図２８，図２９に示すように、摺動部材５８３，５８３，・・・は、上下方向において、凹部５８２，５８２，・・・と重なる位置関係を有する。例えば、右前側の凹部５８２の下方には、１つの摺動部材５８３が配置されている。これと同様に、他の各凹部５８２の下方にも、他の１つの摺動部材５８３が配置されている。
【０１４７】
以下、この第６実施形態のドラム式洗濯機の設置方法の各工程について説明する。
【０１４８】
まず、第１，第２板状部材６８１，６９１およびドラム式洗濯機３を準備した後、ドラム式洗濯機３の右側，左側の前脚３２，３２が右前側，左前側の凹部５８２，５８２に入るように、かつ、ドラム式洗濯機３の右側，左側の後脚３３，３３が右後側，左後側の凹部５８２，５８２に入るように、第１，第２板状部材６８１，６９１上にドラム式洗濯機３を搭載する。
【０１４９】
次に、上記第１実施形態と同様に、給水ホース１１などの接続を行うと共に、ガイド部材６１の取り付けとを行う。
【０１５０】
次に、図３０に示すように、床面１４に対して摺動部材５８３，５８３，・・・を摺動させながら、床面１４の一部である設置面１４ａへ、第１，第２板状部材６８１，６９１をドラム式洗濯機３と共に移動させる。このとき、第２板状部材６９１の後端面６２ａを壁１３に当接させる。
【０１５１】
最後に、上記第５実施形態と同様に、化粧パネル３７の取り付けを行う。
【０１５２】
このように、第１，第２板状部材６８１，６９１を用いるので、上記第５実施形態と同様の作用効果が得られると共に、右前側，左前側の凹部５８２，５８２に対する洗濯機の右側，左側の前脚３２，３２の挿入と、右後側，左後側の凹部５８２，５８２，・・・に対する洗濯機の右側，左側の後脚３３，３３の挿入とを、個別に行うことができる。すなわち、右前脚３２，３２，左前脚３２，３２の挿入作業と、右後脚３３，３３，左後脚３３，３３の挿入作業とを、同時に行わなくて済む。
【０１５３】
また、右前側，左前側の凹部５８２，５８２に対する洗濯機の右側，左側の前脚３２，３２の挿入と、右後側，左後側の凹部５８２，５８２，・・・に対する洗濯機の右側，左側の後脚３３，３３の挿入とを、個別に行う場合、ドラム式洗濯機３の設置作業者の人数を減らしても、第１，第２板状部材６８１，６９１上にドラム式洗濯機３を搭載することができる。
【０１５４】
また、第１板状部材６８１の下面６８１ｂと第２板状部材６９１の下面６８１ｂとのそれぞれに摺動部材５８３，５８３が取り付けられているので、第１，第２板状部材６８１，６９１を持ち上げることなくスムーズに移動させることができる。
【０１５５】
上記第６実施形態では、ドラム式洗濯機３の設置後、設置面１４ａに第１板状部材６８１を固定していなかったが、例えばネジおよび金具を使って、設置面１４ａに第１板状部材６８１を固定してもよい。このように、上記ネジおよび金具を使って、設置面１４ａに第１板状部材６８１を固定した場合、設置面１４ａに対する第１板状部材６８１の固定を必要時に容易に解除することができる。
【０１５６】
この発明の具体的な第１〜第６実施形態およびその変形例について説明したが、この発明は上記第１〜第６実施形態およびその変形例に限定されるものではなく、この発明の範囲内で種々変更して実施することができる。例えば、第５実施形態の変形例のように、第６実施形態を変形させたものを、この発明の一実施形態としてもよい。
【０１５７】
すなわち、上述の開示を纏めると、次のようになる。
【０１５８】
この発明の一態様に係る洗濯機の設置方法は、
ユーザが投入した洗濯物を洗濯する洗濯機本体３１と、この洗濯機本体３１の下側に設けられ、床面１４を摺動可能な摺動部５３，４４６とを備える洗濯機３，４０３を準備する工程と、
上記床面１４に対して上記摺動部５３，４４６を摺動させながら、上記床面１４の一部である設置面１４ａへ、上記洗濯機３，４０３を移動させる工程と
を備えることを特徴としている。
【０１５９】
上記構成によれば、上記床面１４に対して上記摺動部５３，４４６を摺動させながら、床面１４の一部である設置面１４ａへ、洗濯機３，４０３を移動させるので、洗濯機３，４０３の設置作業者は、洗濯機３，４０３全体を持ち上げて浮かせなくても、設置面１４ａに洗濯機３，４０３を設置できる。したがって、上記洗濯機３，４０３の設置作業者の負荷が比較的小さくなる。
【０１６０】
これに対して、上記洗濯機３，４０３全体を床面１４から浮かした状態で設置面１４ａの上方まで移動させる場合、上記洗濯機３，４０３の設置作業者の負荷は比較的大きくなってしまう。
【０１６１】
一実施形態の洗濯機の設置方法は、
上記洗濯機３，４０３を移動させる前に行われる工程であって、上記洗濯機本体３１の後面の下方に位置すべき上記設置面１４ａの奥側の領域に、ガイド部材６１を取り付ける工程を備え、
上記ガイド部材６１は、上記摺動部５３の後部が当接する当接面６２ｄ，６２ｅと、この当接面６２ｄ，６２ｅに上記摺動部５３を案内すると共に、互いに対向する第１，第２ガイド面６３ａ，６４ａとを有し、
上記摺動部５３の後部が上記ガイド部材６１の上記当接面６２ｄ，６２ｅに当接したとき、上記摺動部５３の一方の側部が上記第１ガイド面６３ａに当接し、上記摺動部５３の他方の側部が上記第２ガイド面６４ａ６４ａに当接する。
【０１６２】
上記実施形態によれば、上記設置面１４ａの奥側の領域にガイド部材６１を取り付け後、設置面１４ａに洗濯機３，４０３を移動させると、摺動部５３の後部がガイド部材６１の当接面６２ｄ，６２ｅに当接するので、洗濯機３，４０３の前後方向の位置決めを容易かつ正確に行える。
【０１６３】
また、上記ガイド部材６１の第１，第２ガイド面６３ａ，６４ａによって、摺動部５３がガイド部材６１の当接面６２ｄ，６２ｅに案内されるので、ガイド部材６１の当接面６２ｄ，６２ｅに摺動部５３の後部を容易かつ正確に当接させることができる。
【０１６４】
また、上記摺動部５３の後部がガイド部材６１の当接面６２ｄ，６２ｅに当接したとき、摺動部５３の一方の側部が第１ガイド面６３ａに当接し、摺動部５３の他方の側部が第２ガイド面に当接するので、洗濯機３，４０３の左右方向の位置決めを容易かつ正確に行える。
【０１６５】
また、上記設置面１４ａの両側方および後方に例えば壁１３がある場合、ガイド部材６１の当接面６２ｄ，６２ｅおよび第１，第２ガイド面６３ａ，６４ａによって、洗濯機３，４０３の前後方向および左右方向の位置決めを正確に行えるので、洗濯機３，４０３と壁との間に所望の隙間を確実に設けることができる。
【０１６６】
一実施形態の洗濯機の設置方法では、
上記第１ガイド面６３ａの前部と第２ガイド面６４ａの前部との間の距離は、前端側に近づくに従って次第に広がる。
【０１６７】
上記実施形態によれば、上記第１，第２ガイド面６３ａ，６４ａにより、第１ガイド面６３ａの前部と上記第２ガイド面６４ａの前部との間に摺動部５３をスムーズに入れることができる。
【０１６８】
一実施形態の洗濯機の設置方法では、
上記洗濯機３は、上記洗濯機本体３１の下面３１ａに設けられ、弾性部材４２，４６を下端部に有する脚３２，３３を有し、
上記摺動部５３は、上記脚３２，３３の下端部に取り付けられ、上記脚３２，３３と上記床面１４との間に位置する。
【０１６９】
上記実施形態によれば、上記洗濯機本体３１の下面３１ａには、弾性部材４２，４６を下端部に有する脚３２，３３が設けられているので、弾性部材４２，４６が洗濯機本体３１と設置面１４ａとの間に位置する。したがって、上記洗濯機本体３１から設置面１４ａに伝わる振動を低減できるので、設置面１４ａを有する床を補強せずに済む。
【０１７０】
また、上記設置面１４ａに洗濯機３を移動させるとき、摺動部５３が脚３２，３３と床面１４との間に位置するので、脚３２，３３の下端部の弾性部材４２，４６が洗濯機３の移動の抵抗となるのを防ぐことができる。
【０１７１】
一実施形態の洗濯機の設置方法では、
上記脚３２，３３は、
上記洗濯機本体３１の上記下面３１ａの前部に設けられた前脚３２と、
上記洗濯機本体３１の上記下面３１ａの後部に設けられた後脚３３と
を含み、
上記前脚３２および後脚３３は、それぞれ、上記弾性部材４２，４６を下端部に有し、
上記摺動部５３は、上記後脚３３の下端部に取り付けられる。
【０１７２】
上記実施形態によれば、上記後脚３３の下端部には摺動部５３を取り付けられているので、後脚３３と設置面１４ａとの間に生じる摩擦を確実に低減することができる。
【０１７３】
一実施形態の洗濯機の設置方法では、
上記後脚３３の下端部に取り付けられた摺動部５３が上記床面１４に接触した状態で、かつ、上記前脚３２の下端部と上記床面１４との間に隙間が生じた状態で、上記設置面１４ａに上記洗濯機３を移動させる。
【０１７４】
上記実施形態によれば、上記後脚３３の下端部に取り付けられた摺動部５３が床面１４に接触した状態で、かつ、前脚３２の下端部と床面１４との間に隙間が生じた状態で、設置面１４ａに洗濯機３を移動させるので、前脚３２の下端部に摺動部５３を取り付けてなくても、洗濯機３をスムーズに移動させることができる。
【０１７５】
一実施形態の洗濯機の設置方法では、
上記洗濯機４０３は、
上記洗濯機本体３１の下面の前部に設けられ、高さ調整が可能な前脚３２と、
上記洗濯機本体３１の下面の前部に設けられ、上記前脚３２に隣り合う移動補助脚４４４と、
上記洗濯機本体３１の下面の後部に設けられた後脚３３と
を有し、
上記摺動部は、上記移動補助脚４４４と上記後脚３３とのそれぞれの下側に設けられ、
上記洗濯機４０３を移動させる前に行われる工程であって、上記移動補助脚４４４と上記後脚３３とのそれぞれの下側に設けられた上記摺動部４４６が上記床面１４に接触するように、かつ、上記前脚３２の下端部と上記床面１４との間に隙間が生じるように、上記前脚３２の高さを調整する工程を備える。
【０１７６】
上記実施形態によれば、上記前脚３２の高さ調整後、洗濯機４０３を移動させるので、移動補助脚４４４の下側に設けられた摺動部材４４６と、後脚３３の下側に設けられた摺動部材５３とを、床面１４に対して摺動させながら、設置面１４ａに洗濯機４０３を移動させることができる。
【０１７７】
また、上記前脚３２の高さ調整後、洗濯機４０３を移動させるので、前脚３２が洗濯機４０３の移動の抵抗となるのを防ぐことができる。
【０１７８】
一実施形態の洗濯機の設置方法は、
上記前脚３２は弾性部材４２を下端部に有し、
上記設置面１４ａへ上記洗濯機４０３を移動させた後、上記移動補助脚４４４の下側に設けられた上記摺動部４４６と上記設置面１４ａとの間に隙間が生じるように、かつ、上記前脚３２の下端部の上記弾性部材４２が上記設置面１４ａに接触するように、上記前脚３２の高さを調整する工程を備える。
【０１７９】
上記実施形態によれば、上記前脚３２の高さ調節により、移動補助脚４４４の下側に設けられた摺動部４４６と設置面１４ａとの間に隙間が生じるので、例えば洗濯機本体３１が洗濯時に振動しても、この振動が摺動部４４６を介して床面１４へ伝わるのを防ぐことができる。
【０１８０】
また、上記前脚３２の高さ調節により、前脚３２の下端部の弾性部材４２が設置面１４ａに接触するので、例えば洗濯機本体３１が洗濯時に振動しても、設置面１４ａに対して前脚３２が移動するのを防ぐことができる。
【０１８１】
一実施形態の洗濯機の設置方法では、
上記設置面１４ａに上記洗濯機３，４０３を移動させた後、上記洗濯機３，４０３の前方向の移動と上記洗濯機３，４０３の左右方向の移動とのうち、少なくとも上記洗濯機３，４０３の前方向の移動を規制する移動規制部材２７１，２７２，２７３，２７４，３７１を上記設置面１４ａに取り付ける。
【０１８２】
上記実施形態によれば、上記設置面１４ａに洗濯機３，４０３を移動させた後、設置面１４ａに移動規制部材２７１，２７２，２７３，２７４，３７１を取り付けることにより、少なくとも洗濯機３，４０３の前方向の移動を移動規制部材２７１，２７２，２７３，２７４，３７１で規制するので、洗濯機３，４０３が例えば自身の振動で前方に飛び出してくるのを防ぐことができる。
【０１８３】
一実施形態の洗濯機の設置方法では、
上記移動規制部材３７１は、上方から見たときの形状がＵ字形状を呈するように形成されている。
【０１８４】
上記実施形態によれば、上記移動規制部材３７１だけで、洗濯機３，４０３の前方向の移動と洗濯機３，４０３の左右方向の移動とを規制できる。
【０１８５】
この発明の一態様に係る洗濯機の設置方法は、
第１，第２凹部５８２，５８２が上面に設けられ、床面１４を摺動可能な摺動部５８３を下側に有する板状部材５８１，６８１，６９１を準備すると共に、ユーザが投入した洗濯物を洗濯する洗濯機本体３１と、この洗濯機本体３１の下面３１ａの前部に設けられた前脚３２と、上記洗濯機本体３１の下面３１ａの後部に設けられた後脚３３とを有する洗濯機３を準備する工程と、
上記板状部材５８１，６８１，６９１の上記第１凹部５８２に上記洗濯機３の上記前脚３２を入れる一方、上記板状部材５８１，６８１，６９１の上記第２凹部５８２に上記洗濯機３の上記後脚３３を入れて、上記板状部材５８１，６８１，６９１に上記洗濯機３を搭載した後、上記床面１４に対して上記摺動部５８３を摺動させながら、上記床面１４の一部である設置面１４ａへ、上記板状部材５８１，６８１，６９１を上記洗濯機３と共に移動させる工程と
を備えることを特徴としている。
【０１８６】
上記構成によれば、上記板状部材５８１，６８１，６９１の第１凹部５８２に洗濯機３の上記前脚３２を入れる一方、板状部材５８１，６８１，６９１の第２凹部５８２に上記洗濯機３の上記後脚３３を入れた後、板状部材５８１，６８１，６９１を洗濯機３と共に移動させるので、板状部材５８１，６８１，６９１に対して洗濯機３が移動するのを防ぐことができる。
【０１８７】
また、上記床面１４に対して摺動部５８３を摺動させながら、床面１４の一部である設置面１４ａへ、板状部材５８１，６８１，６９１を洗濯機３と共に移動させるので、洗濯機３の設置作業者は、洗濯機３全体を持ち上げて浮かせなくても、設置面１４ａに洗濯機３を設置できる。したがって、上記洗濯機３の設置作業者の負荷が比較的小さくなる。
【０１８８】
これに対して、上記洗濯機３全体を床面１４から浮かした状態で設置面１４ａの上方まで移動させる場合、洗濯機３の設置作業者の負荷は比較的大きくなってしまう。
【０１８９】
一実施形態の洗濯機の設置方法では、
上記設置面１４ａの周辺には、上記設置面１４ａ上の空間と他の空間とを仕切ると共に、上記洗濯機本体３１の両側面３１ｃ，３１ｄおよび後面３１ｂに対向する仕切部１３，２７，２８が設けられており、
上記洗濯機３を搭載した上記板状部材５８１を上記設置面１４ａに設置したとき、上記洗濯機本体３１の側面３１ｃ，３１ｄおよび後面と上記仕切部１３，２７，２８との間に所定の隙間が生じるように、上記第１，第２凹部５８２，５８２の位置が設定されている。
【０１９０】
上記実施形態によれば、上記洗濯機３を搭載した板状部材５８１を設置面１４ａに設置すると、洗濯機本体３１の側面３１ｃ，３１ｄおよび後面と仕切部１３，２７，２８との間に所定の隙間を生じさせることができる。したがって、上記洗濯機３が洗濯時に振動しても、洗濯機本体３１が設置面１４ａの周辺の仕切部１３，２７，２８に衝突するのを防ぐことができる。
【０１９１】
一実施形態の洗濯機の設置方法では、
上記板状部材６８１，６９１は、
上記第１凹部５８２を上面に有する第１板状部材６８１と、
上記第１板状部材６８１と別体に設けられて、上記第２凹部５８２を上面に有する第２板状部材６９１と
を有し、
上記第１板状部材６８１の下面６８１ｂと上記第２板状部材６９１の下面６９１ｂとのそれぞれに上記摺動部５８３が取り付けられている。
【０１９２】
上記実施形態によれば、上記第２板状部材６９１は第１板状部材６８１と別体に設けられているので、第１凹部５８２への洗濯機３の前脚３２の挿入と、第２凹部への洗濯機３の後脚３３の挿入とを個別に行うことができる。
【０１９３】
また、上記第１板状部材６８１の下面６８１ｂと第２板状部材６９１の下面６９１ｂとのそれぞれに摺動部５８３が取り付けられているので、第１，第２板状部材６８１，６９１を持ち上げることなくスムーズに移動させることができる。
【０１９４】
一実施形態の洗濯機の設置方法では、
上記洗濯機３，４０３は、
上記洗濯機本体３１に給水するための給水ホース１１と、
上記洗濯機本体３１からの排水を排水口１５に案内する排水ホース１２と
を有し、
上記給水ホース１１および排水ホース１２の長さは、上記洗濯機本体３１を上記設置面１４ａ外に引き出すことが可能な長さに設定されている。
【０１９５】
上記実施形態によれば、上記給水ホース１１および排水ホース１２の長さの設定により、メンテンナンス時、給水ホース１１および排水ホース１２の接続を解除しなくても、洗濯機本体３１を設置面１４ａ外に引き出すことができる。したがって、上記洗濯機３，４０３のメンテナンスを容易に行うことができる。
【０１９６】
一実施形態の洗濯機の設置方法では、
上記設置面１４ａの側方には、ホース用収容部Ｓ１を有するキャビネット５が設置されており、
上記ホース用収容部Ｓ１に上記給水ホース１１および上記排水ホース１２の一部を収容する。
【０１９７】
上記実施形態によれば、上記給水ホース１１および排水ホース１２の一部の収容により、洗濯機本体３１の両側面３１ｃ，３１ｄおよび後面３１ｂに隣接する空間に給水ホース１１および排水ホース１２の全部を配置しなくて済む。したがって、上記洗濯機本体３１の両側面３１ｃ，３１ｄおよび後面３１ｂに隣接する空間を狭くすることができる。
【０１９８】
この発明の一態様に係る洗濯機の収容構造は、
洗濯機３，４０３と、
上記洗濯機３，４０３を収容すると共に、上記洗濯機３，４０３の設置面１４ａである床面１４の一部に面する洗濯機用収容部Ｓ２と
を備え、
上記洗濯機３，４０３は、
ユーザが投入した洗濯物を洗濯する洗濯機本体３１と、
上記洗濯機本体３１の下側に設けられ、上記床面１４を摺動可能な摺動部５３，４４６，５８３と
を備えることを特徴としている。
【０１９９】
上記構成によれば、上記摺動部５３，４４６，５８３は床面１４を摺動可能であるので、床面１４に対して摺動部５３，４４６，５８３を摺動させながら、床面１４の一部である設置面１４ａへ、洗濯機３，４０３を移動させることができる。したがって、設置作業者は、洗濯機３，４０３全体を持ち上げて浮かせなくても、設置面１４ａに洗濯機３，４０３を設置できる。その結果、上記洗濯機３，４０３の設置作業者の負荷が比較的小さくなる。
【０２００】
これに対して、上記洗濯機３，４０３全体を床面１４から浮かした状態で設置面１４ａの上方まで移動させる場合、上記洗濯機３，４０３の設置作業者の負荷は比較的大きくなってしまう。
【符号の説明】
【０２０１】
３，４０３  ドラム式洗濯機
５  キャビネット
６  鏡
１１  給水ホース
１２  排水ホース
１４  床面
１４ａ  設置面
１５  洗濯機用排水口
３１  洗濯機本体
３１ａ  下面
３２  前脚
３３  後脚
４２，４６  ゴム部
５３，４４６，５８３  摺動部材
６１  ガイド部材
６２ｄ，６２ｅ  第１，第２当接面
６３ａ，６４ａ  第１，第２ガイド面
２７１，２７３  第１移動規制部材
２７２，２７４  第２移動規制部材
３７１  移動規制部材
５８１  板状部材
５８２  凹部
６８１  第１板状部材
６９１  第２板状部材
Ｓ１  空間
Ｓ２  洗濯機用収容空間
【図１】
2018175591.tif 000003
【図２】
2018175591.tif 000004
【図３】
2018175591.tif 000005
【図４】
2018175591.tif 000006
【図５】
2018175591.tif 000007
【図６】
2018175591.tif 000008
【図７】
2018175591.tif 000009
【図８】
2018175591.tif 000010
【図９】
2018175591.tif 000011
【図１０】
2018175591.tif 000012
【図１１】
2018175591.tif 000013
【図１２】
2018175591.tif 000014
【図１３】
2018175591.tif 000015
【図１４】
2018175591.tif 000016
【図１５】
2018175591.tif 000017
【図１６】
2018175591.tif 000018
【図１７】
2018175591.tif 000019
【図１８】
2018175591.tif 000020
【図１９】
2018175591.tif 000021
【図２０】
2018175591.tif 000022
【図２１】
2018175591.tif 000023
【図２２】
2018175591.tif 000024
【図２３】
2018175591.tif 000025
【図２４】
2018175591.tif 000026
【図２５】
2018175591.tif 000027
【図２６】
2018175591.tif 000028
【図２７】
2018175591.tif 000029
【図２８】
2018175591.tif 000030
【図２９】
2018175591.tif 000031
【図３０】
2018175591.tif 000032